(57)【要約】      （修正有）【課題】穀粒乾燥機を使用した後、わらくず等が山型形状の上部のうち特に排風排出室に近い部分において堆積量が多くなるという問題、及び遠赤外線放射体の上方に設ける覆いカバーにおいても、排風排出室に近い部分において堆積しやすいという問題を解決する。【解決手段】乾燥部３にある穀粒流下通路１３への分岐頂部、または熱風室１１等に備えた遠赤外線放射体上方に山型に形成する覆いカバーに沿ってスライド動作可能に山型スクレーパ２２を設けたことを特徴とする穀粒乾燥機。【選択図】図３
2013072606.tif 000002
【特許請求の範囲】
【請求項１】
張込穀粒を貯留する貯留部（２）と、
この貯留部（２）から穀粒を流下しつつ熱風乾燥する乾燥部（３）と、
この乾燥部（３）から流下した穀粒を集積する集穀部（４）とを順次上から重ねて配置し、
その集穀部（４）から前記貯留部（２）に穀粒を搬送するエレベータ部（５）を備えた穀粒乾燥機において、
前記乾燥部（３）には、熱風供給部（６）から熱風を受ける熱風室（１１）と、熱風を排出側に案内する排風室（１２）と、を設け、
前記熱風室（１１）又は集穀部（４）の少なくとも一方に遠赤外線放射体（３２）を備え、
この遠赤外線放射体（３２）上方に山型に形成する覆いカバー（３３）を設け、
この覆いカバー（３３）に沿ってスライド動作可能に山型スクレーパ（２２）を設けたことを特徴とする穀粒乾燥機。
【請求項２】
張込み穀粒を貯留する貯留部（２）と、
この貯留部（２）から穀粒を流下しつつ熱風乾燥する乾燥部（３）と、
この乾燥部（３）から流下した穀粒を集積する集穀部（４）とを順次上から重ねて配置し、
その集穀部（４）から前記貯留部（２）に穀粒を搬送するエレベータ部（５）を備えた穀粒乾燥機において、
前記乾燥部（３）には、
二以上の穀粒流下通路（１３）を設けるともに、それらの穀粒流下通路（１３）を挟んで、熱風供給部（６）から熱風を受ける熱風室（１１）と、熱風を排出側に案内する排風室（１２）と、を通気可能に対向して設け、
前記穀粒流下通路（１３）への分岐頂部を山型に形成するとともに、その分岐頂部にスライド動作可能に山型スクレーパ（２２）を設けたことを特徴とする穀粒乾燥機。
【請求項３】
前記山型スクレーパ（２２）の頂上部が、
前記スライド動作の動作方向に一以上の切欠によるスクレーパ部（２２ａ）を有することを特徴とする請求項１又は請求項２に記載の穀粒乾燥機。
【請求項４】
前記穀粒乾燥機の機外から、前記山型スクレーパ（２２）をスライド動作させるスクレーパ動作把持部（２６）と、
前記山型スクレーパ（２２）とを、
連結部材によりに結合したことを特徴とする請求項１から請求項３いずれか記載の穀粒乾燥機。
【請求項５】
前記山型スクレーパ（２２）と、穀流乾燥機の機体の内壁とを、
スプリング（２７）により連結したことを特徴とする請求項１から請求項４のいずれかに記載の穀粒乾燥機。
【発明の詳細な説明】
【技術分野】
【０００１】
本発明は、穀粒を循環しながら乾燥する穀粒乾燥機に関するものである。
【背景技術】
【０００２】
従来、穀粒を比較的短時間で、確実かつ均一に乾燥することのできる穀粒循環型の穀粒乾燥機は、張込み穀粒を受ける貯留部と、この貯留部から穀粒を流下しつつ熱風乾燥する乾燥部と、その乾燥部から流下した穀粒を集積する集穀部とを順次上から重ねて配置し、乾燥部の前面位置には、穀粒を集穀部から貯留部上部に搬送するエレベータ部、及びバーナーによる熱風供給部を備え、後面位置には排風ファンを含む排風排出部を備える構造を採用している。穀粒乾燥機の機種によっては、遠赤外線を利用するものがある（特許文献１、特許文献２）。
【０００３】
特許文献に記載の穀粒乾燥機の乾燥部には、貯留部から左右に分岐する穀粒流下通路を設け、それら穀粒流下通路を挟んで、熱風室と排風室を設ける。熱風室は、乾燥部の前面から背面に達するように設けられ、熱風供給部から熱風を受けると共に、排風ファンを含む排風排出部に連結した排風室を対向して設ける。特許文献１においては熱風室が筒状体を構成し、熱風室と排風室の間隙である穀粒流下通路においては、穀粒よりも目の細かい金網を熱風室と排風室の両方に設け、貯留部から集穀部へ向けて流下する穀粒が、熱風室から排風室へ流れる熱風により乾燥させられる。筒状体の熱風室や排風室は、貯留部からの穀粒の流下を容易にするため、分岐頂部、即ちその筒状体の軸線に垂直な断面の頂部形状が山型であり、通常鉄板で構成している。
また、特許文献２の図１には、遠赤外線放射体の上方に山型の覆いカバーを設け、その覆いカバーによって、放射体への上方からの塵埃の落下を防止することが記載されている。
【先行技術文献】
【特許文献】
【０００４】
【特許文献１】特開平９−１１３１４０
【特許文献２】特許第４３０１０１８号
【発明の概要】
【発明が解決しようとする課題】
【０００５】
頂部形状が山型であることで、穀粒は容易に穀粒流下通路を通過し、通路部及び筒状体の上部に穀粒が残存することはないものとして、乾燥部は特段のメンテナンスなしに使用できる。
しかし、コンバインにより収穫された穀粒には、わらくずなどが含まれており、穀粒乾燥機を使用した後、それらが山型形状をしている筒状体の上部に堆積したままになっていることがある。特に排風ファンを設けた排風排出室を乾燥部の背面位置に設け、熱風が前面から背面に向けて流れることから背面位置に近い部分において堆積しやすいという問題があった。
また、遠赤外線放射体の上方に設ける覆いカバーにおいても、同様に、背面位置に近い部分において堆積しやすいという問題があった。
【課題を解決するための手段】
【０００６】
本発明は、上記課題を解決すべく次のような技術的手段を講じた。
すなわち、請求項１記載の発明は、張込穀粒を貯留する貯留部（２）と、この貯留部（２）から穀粒を流下しつつ熱風乾燥する乾燥部（３）と、この乾燥部（３）から流下した穀粒を集積する集穀部（４）とを順次上から重ねて配置し、その集穀部（４）から前記貯留部（２）に穀粒を搬送するエレベータ部（５）を備えた穀粒乾燥機において、前記乾燥部（３）には、熱風供給部（６）から熱風を受ける熱風室（１１）と、熱風を排出側に案内する排風室（１２）と、を設け、前記熱風室（１１）又は集穀部（４）の少なくとも一方に遠赤外線放射体（３２）を備え、この遠赤外線放射体（３２）上方に山型に形成する覆いカバー（３３）を設け、この覆いカバー（３３）に沿ってスライド動作可能に山型スクレーパ（２２）を設けたことを特徴とする穀粒乾燥機である。
【０００７】
また、請求項２記載の発明は、張込み穀粒を貯留する貯留部（２）と、この貯留部（２）から穀粒を流下しつつ熱風乾燥する乾燥部（３）と、この乾燥部（３）から流下した穀粒を集積する集穀部（４）とを順次上から重ねて配置し、その集穀部（４）から前記貯留部（２）に穀粒を搬送するエレベータ部（５）を備えた穀粒乾燥機において、前記乾燥部（３）には、二以上の穀粒流下通路（１３）を設けるともに、それらの穀粒流下通路（１３）を挟んで、熱風供給部（６）から熱風を受ける熱風室（１１）と、熱風を排出側に案内する排風室（１２）と、を通気可能に対向して設け、前記穀粒流下通路（１３）への分岐頂部を山型に形成するとともに、その分岐頂部にスライド動作可能に山型スクレーパ（２２）を設けたことを特徴とする穀粒乾燥機である。
【０００８】
また、請求項３記載の発明は、前記山型スクレーパ（２２）の頂上部が、前記スライド動作の動作方向に一以上の切欠によるスクレーパ部（２２ａ）を有することを特徴とする請求項１又は請求項２に記載の穀粒乾燥機である。
【０００９】
また、請求項４記載の発明は、前記穀粒乾燥機の機外から、前記山型スクレーパ（２２）をスライド動作させるスクレーパ動作把持部（２６）と、前記山型スクレーパ（２２）とを、連結部材によりに結合したことを特徴とする請求項１から請求項３いずれか記載の穀粒乾燥機である。
【００１０】
また、請求項５記載の発明は、前記山型スクレーパ（２２）と、穀流乾燥機の機体の内壁とを、スプリング（２７）により連結したことを特徴とする請求項１から請求項４のいずれかに記載の穀粒乾燥機である。
【発明の効果】
【００１１】
請求項１記載の発明によれば、前記熱風室１１又は集穀部４には遠赤外線放射体３２を備え、この遠赤外線放射体３２の上方には山型に形成する覆いカバー３３を設け、この覆いカバー３３に沿ってスライド動作可能とする山型スクレーパ２２を設けたことで、覆いカバーに堆積するわらくずなどの堆積物を除去することができる。
【００１２】
請求項２記載の発明によれば、熱風室１１の分岐頂部に山型スクレーパ２２を設け、分岐頂部に沿ってスライド動作させることで、わらくずなどの堆積物を除去することができる。
【００１３】
請求項３記載の発明によれば、山型スクレーパ２２の頂上部が、前記筒状体の軸線方向に１以上の切欠によるスクレーパ部２２ａを有していることにより、山型スクレーパ２２頂上部にある切欠によるスクレーパ部２２ａのスライド方向への長さとほぼ同等の短いスライド距離を確保するだけで、広範囲に亘る堆積物を除去することができる。
【００１４】
請求項４記載の発明によれば、山型スクレーパ２２と、穀粒乾燥機の機体の外側に設けたスクレーパ動作把持部２６とを連結部材により結合することにより、機体の外側から山型スクレーパ２２を動作させることができ堆積物の除去作業が容易になる。
【００１５】
請求項５記載の発明によれば、山型スクレーパ２２と、穀流乾燥機の機体の内壁とを、スプリング２７により連結することにより、スクレーパ動作把持部２６により山型スクレーパ２２を動作させた後自動的に山型スクレーパ２２を初期位置に戻すことができる。
【図面の簡単な説明】
【００１６】
【図１】穀粒乾燥機の側断面図である。
【図２】穀粒乾燥機の正面図である。
【図３】穀物乾燥機の乾燥部の内部構成を説明する透視斜視図である。
【図４】穀粒乾燥機の正面図の部分拡大図である。
【図５】分岐頂部とスクレーパの側面図である。
【図６】分岐頂部とスクレーパの断面図である。
【図７】分岐頂部とスクレーパの側面方向からの部分拡大図である。
【図８】遠赤外線放射体を備えた穀粒乾燥機の側断面図である。
【図９】遠赤外線放射体を備えた穀粒乾燥機の正面から見た断面図である。
【発明を実施するための形態】
【００１７】
上記技術思想に基づいて具体的に構成された実施の形態について以下に図面を参照しつ
つ説明する。
【００１８】
図１は本実施形態における穀粒乾燥機の側断面図であり、図２は正面図である。穀物乾燥機１は、コンバイン等で脱穀した穀粒を張り込み、貯留する貯留部２と、その貯留部２から穀粒を流下しつつ熱風乾燥する乾燥部３と、その乾燥部３から流下した穀粒を集積して再度貯留部２に移送するための集穀部４とを順次上から重ねて配置した構造としている。乾燥部３の穀粒出口には回転しながら所定量の穀物を流下させるロータリーバルブ１０を備え、その繰出し穀粒を乾燥部３からエレベータ部５に送る集穀部４の下部移送装置９に受け、エレベータ部５の上部側に接続する上部移送装置８で貯留室２の拡散盤１４に供給することにより、張込み穀粒が貯留室２の全面に均一に堆積貯留される。乾燥部３の前面位置には外気を加熱するバーナー６ａを備えて熱風を熱風室１１に供給する熱風供給部６を配置し、背面位置には排風室１２から排風を吸引排出する排風ファン７ａを備える排風排出部７を配置する。
【００１９】
図２に示すように本実施形態においては、穀粒の流れを滑らかにするように筒状体である熱風室１１の上部の形態を左右の傾斜面による山型形状の分岐頂部１１ａに形成すると共に、排風室１２を左右一対設ける構成とし、貯留部２から左右に分岐するそれぞれの穀粒流下通路１３に穀粒が分かれて流下する。
【００２０】
図３は、乾燥部の内部構成を説明する透視斜視図である。乾燥部３については、機体の前面板３ａと背面板３ｂとの間に貯留部２からの穀粒が通過するように、上端部を貯留部２と連通した複数の穀粒流下通路１３を設け、その下方においてはそれらの穀粒流下通路１３を挟むように、中央の熱風室１１の左右に排風室１２を形成する。熱風室１１と排風室１２とに挟まれた部分の穀粒流下通路１３は、熱風が透過可能な金網材構成の穀粒通路であり、両下端部をロータリーバルブ１０に合流して下方の集穀部４に臨む。
【００２１】
本実施形態においては、分岐頂部である熱風室１１の分岐頂部１１ａに重畳するように山型スクレーパ２２を設け、その山型スクレーパ２２が前後にスライドするようにする。このように使用することで、筒状体である熱風室１１の頂部のわらくずなどの堆積物を除去することができる。また、山型スクレーパ２２上への堆積物も、山型スクレーパ２２を動作させることにより除去することができる。この山型スクレーパ２２について図４から図７を用いて詳細に説明する。
【００２２】
山型スクレーパ２２は分岐頂部１１ａ上に、乾燥部３の背面板３ｂの内壁にその一方の端部が接するように設置する。山型スクレーパ２２の前後の長さは、乾燥部３の１／３から１／２である。山型スクレーパ２２は、その排風室１２筒状体の軸線方向に複数の切欠によるスクレーパ部２２ａを有するようにする。この切欠によるスクレーパ部２２ａは、わらくず等が最も堆積する山型の頂部を切り欠いて穴部をなしており、本実施形態においては側面方向から見たときに方形の穴形状としている。穴の形状は本実施例におけるような方形に限定されるものではないが、山型スクレーパ２２は分岐頂部１１ａの頂上部の堆積物を除去する必要があることから、頂上部に当たる穴部の軸線方向の寸法は、山型スクレーパ２２のスライド動作の動作量Ｌより小さくなる必要がある。このような構成とすることにより、山型スクレーパ２２頂上部にある切欠によるスクレーパ部２２ａのスライド方向への長さとほぼ同等の短いスライド距離Ｌを動作させるだけで、広範囲に亘る堆積物を除去することができる。
【００２３】
本実施例における山型スクレーパ２２は、分岐頂部１１ａと頂部を構成する角度がほぼ同じようになるように鋼板を曲げて製作し、分岐頂部１１ａに設けた長穴３１を通して、連結部材の一つであるスクレーパサポート２３とボルト３０で結合する。このように固定されることにより、山型スクレーパ２２をスライドさせるときに山型スクレーパ２２が持ち上がることがなくなり、山型スクレーパ２２と分岐頂部１１ａの間に穀粒等が入り込むことを防止できると共に、わらくずなどの堆積物を適切に取り除くことができる。また山型スクレーパ２２の頂部の形状を長期に亘って維持することができる。上記の長穴３１は計４箇所設け、スクレーパサポート２３は軸方向に２本設置する。長穴３１の長さは、山型スクレーパ２２がスライド距離Ｌを動作可能とするように十分に確保する。山型スクレーパ２２でなく、分岐頂部１１ａに長穴３１を設けていることにより、穀粒がその穴部に直接望むことが無くなり、穀粒がその部分に残存することは無い。また、分岐頂部１１ａと山型スクレーパ２２の間にはシム２８を挟み込み、山型スクレーパ２２がスライドする際に働く摩擦力を小さなものとしている。
【００２４】
山型スクレーパ２２をスライドさせるために、二本設けたスクレーパサポート２３の内、乾燥部３の前面に近い側に設けたスクレーパサポート２３の中央のケーブル連結部２９に連結部材の一つであるケーブル２４の一端を取り付け、乾燥部３の前面板３ａよりケーブル２４を取り出し、ケーブル２４の他端にスクレーパ動作把持部２６を設ける。穀粒の乾燥作業を行うときは、ケーブル２４及びスクレーパ動作把持部２６は、乾燥部３の前面板３ａを出たところで折り曲げ、乾燥作業の妨げにならないようにケーブル固定プレート２５により固定する。ケーブル２４へのほこりの付着の防止及びそれに接した作業者が火傷をしないように、本ケーブル２４の内、乾燥機外にある部分には被膜を行う。もう一本の乾燥部３の背面に近いスクレーパサポート２３は、背面板３ｂの内壁とスプリング２７により連結する。山型スクレーパ２２が初期位置にあるとき、スプリング２７は初期長さであり、山型スクレーパ２２を動作させたときに、山型スクレーパ２２を初期位置に戻すような引張力が働くようにする。
【００２５】
本実施形態においては、穀粒の乾燥作業を終了して分岐頂部１１ａの堆積物を取り除く場合、ケーブル固定プレート２５からスクレーパ動作把持部２６を取外し、ケーブル２４が排風室１２筒状体の軸線と平行になるようにスクレーパ動作把持部２６を移動させ、スクレーパ動作把持部２６へ乾燥部３の前面板３ａから離れる方向へ力を付加することにより、山型スクレーパ２２がスライド動作を行うようになる。穀粒乾燥機１の機外から、山型スクレーパ２２をスライド動作させるスクレーパ動作把持部２６と、前記山型スクレーパ２２とを、連結部材であるケーブル２４により結合していることにより、機体の外側から山型スクレーパ２２を動作させることができ堆積物の除去作業が容易になる。
【００２６】
山型スクレーパ２２を初期位置に戻す場合は、スクレーパ動作把持部２６に付加されていた力を除去する。山型スクレーパ２２と、穀流乾燥機の機体の内壁とを、スプリング２７により連結しているので、スプリング２７の収縮力により山型スクレーパ２２が初期位置に自動的に戻るようになる。
【００２７】
本実施形態においては、スクレーパサポート２３とスクレーパ動作把持部２６をケーブル２４により連結したが、一本の棒により結合することも可能である。この場合、山型スクレーパ２２を収縮力により初期位置に戻すためのスプリング２７は用いる必要は無く、スクレーパ動作把持部２６の押し引きの動作により、山型スクレーパ２２をスライド動作させる。
【００２８】
図８と図９は遠赤外線放射体３２を備えた穀粒乾燥機である。本実施の形態の遠赤外線放射体３２は集穀部４に備え、遠赤外線放射体３２の上方には山型の覆いカバー３３を設けている。覆いカバー３３は穀粒流下通路１３の金網材を通過して落下したわらくず等が高温の遠赤外線放射体３２に落下するのを防止するためのものである。
【００２９】
この実施の形態では、山型スクレーパ２２を覆いカバー３３と重ね合わせてスライドする構成とすることで、覆いカバー３３に堆積するわらくずを除去するものである。なお、山型スクレーパ２２の動作や構成は図１から図７までに記載しているものと同様である。
【００３０】
また、本実施の形態は手動で山型スクレーパ２２をスライド動作する構成を記載しているが、操作盤３４にスイッチを設け、電動でスライド動作する構成としても良い。また、排風室１２の分岐頂部に山型スクレーパ２２を設けても良い。また、遠赤外線放射体３２は熱風室に設けても良い。
【符号の説明】
【００３１】
１  穀粒乾燥機
２  貯留部
３  乾燥部
３ａ  前面板
３ｂ  背面板
４  集穀部
５  エレベータ部
６  熱風供給部
６ａ  バーナー
７  排風排出部
７ａ  排風ファン
８  上部移送装置
９  下部移送装置
１０  ロータリーバルブ
１１  熱風室
１１ａ  分岐頂部
１２  排風室
１３  穀粒流下通路
１４  拡散盤
２２  山型スクレーパ
２２ａ  切欠によるスクレーパ部
２３  スクレーパサポート
２４  ケーブル
２５  ケーブル固定プレート
２６  スクレーパ動作把持部
２７  スプリング
２８  シム
２９  ケーブル連結部
３０  ボルト
３１  長穴
３２  遠赤外線放射体
３３  覆いカバー
３４  操作盤
【図１】
2013072606.tif 000003
【図２】
2013072606.tif 000004
【図３】
2013072606.tif 000005
【図４】
2013072606.tif 000006
【図５】
2013072606.tif 000007
【図６】
2013072606.tif 000008
【図７】
2013072606.tif 000009
【図８】
2013072606.tif 000010
【図９】
2013072606.tif 000011